【手続補正書】
【提出日】平成20年4月30日(2008.4.30)
【手続補正１】
【補正対象書類名】明細書
【補正対象項目名】発明の名称
【補正方法】変更
【補正の内容】
【発明の名称】遊技機
【手続補正２】
【補正対象書類名】明細書
【補正対象項目名】特許請求の範囲
【補正方法】変更
【補正の内容】
【特許請求の範囲】
【請求項１】  所定の払出条件の成立に応じて景品が払出される遊技機であって、
前記景品を払出し可能な払出手段と、
前記所定の払出条件が成立した場合に、前記払出手段により景品を払出す制御を行なう払出制御手段と、
前記遊技機の遊技状態を制御することが可能な遊技制御手段と、
該遊技制御手段による遊技制御上で発生した異常状態を検出する異常状態検出手段とを含み、
前記払出制御手段は、前記異常状態検出手段により前記遊技制御上で発生した異常状態が検出された場合であっても、前記払出条件の成立に応じて前記払出手段により景品を払出す制御を行なうことを特徴とする、遊技機。
【請求項２】  前記遊技制御手段は、前記異常状態検出手段により前記遊技制御上で発生した異常状態が検出された場合に、少なくとも遊技制御の主要部分を不能動化する制御を行なうことを特徴とする、請求項１記載の遊技機。
【請求項３】  遊技領域に設けられた入賞領域に打玉が入賞したことを検出する打玉入賞検出手段をさらに含み、
前記異常状態検出手段により検出される異常状態は、前記打玉入賞検出手段の異常状態を含むことを特徴とする、請求項１記載の遊技機。
【請求項４】  前記打玉入賞検出手段は、打玉の入賞を検出した場合に所定期間内において検出出力を継続し、
前記異常状態検出手段により検出される前記打玉入賞検出手段の異常状態は、前記打玉入賞検出手段による入賞の検出出力が前記所定期間を超えて継続した異常状態を含むことを特徴とする、請求項３記載の遊技機。
【請求項５】  遊技領域に設けられた入賞領域に入賞した入賞玉を検出する入賞玉検出手段と、
前記払出手段による景品の払出しを検出可能な景品検出手段とをさらに含み、
前記遊技制御手段は、前記入賞玉検出手段および前記景品検出手段のそれぞれの検出出力を直接受け、前記入賞玉検出手段の検出出力があった場合に、所定個数の景品の払出しを要求する指令情報を前記払出制御手段へ与えるとともに、前記景品検出手段の検出出力に基づいて前記所定個数の景品の払出しが正常に行なわれているか否かを判断する制御をさらに行ない、
前記払出制御手段は、前記遊技制御手段から前記指令情報を受けた場合に、景品を前記払出手段により払出す制御をさらに行ない、前記払出制御手段から前記遊技制御手段への情報の通信が行なわれないことを特徴とする、請求項１記載の遊技機。
【手続補正３】
【補正対象書類名】明細書
【補正対象項目名】０００１
【補正方法】変更
【補正の内容】
【０００１】
【発明の属する技術分野】
本発明は、たとえば、パチンコ遊技機やコイン遊技機等で代表される遊技機に関し、詳しくは、所定の払出条件の成立に応じて景品が払出される遊技機に関する。
【手続補正４】
【補正対象書類名】明細書
【補正対象項目名】０００２
【補正方法】変更
【補正の内容】
【０００２】
【従来の技術】
この種の遊技機において、従来から一般的に知られているものに、たとえば、遊技領域に設けられた入賞領域への打玉の入賞に応じて所定個数の景品玉を遊技者に払出すように制御される弾球遊技機があった。
【手続補正５】
【補正対象書類名】明細書
【補正対象項目名】０００７
【補正方法】変更
【補正の内容】
【０００７】
本発明は、係る実情に鑑み考え出されたものであり、その目的は、遊技制御上での異常状態が生じた場合における景品の払出しについての遊技者の不快感を防ぐことが可能な遊技機を提供することである。
【手続補正６】
【補正対象書類名】明細書
【補正対象項目名】０００８
【補正方法】変更
【補正の内容】
【０００８】
【課題を解決するための手段】
請求項１に記載の本発明は、所定の払出条件の成立に応じて景品が払出される遊技機であって、
前記景品を払出し可能な払出手段と、
前記所定の払出条件が成立した場合に、前記払出手段により景品を払出す制御を行なう払出制御手段と、
前記遊技機の遊技状態を制御することが可能な遊技制御手段と、
該遊技制御手段による遊技制御上で発生した異常状態を検出する異常状態検出手段とを含み、
前記払出制御手段は、前記異常状態検出手段により前記遊技制御上で発生した異常状態が検出された場合であっても、前記払出条件の成立に応じて前記払出手段により景品を払出す制御を行なうことを特徴とする。
【手続補正７】
【補正対象書類名】明細書
【補正対象項目名】００１０
【補正方法】変更
【補正の内容】
【００１０】
請求項３に記載の本発明は、請求項１に記載の発明の構成に加えて、遊技領域に設けられた入賞領域に打玉が入賞したことを検出する打玉入賞検出手段をさらに含み、
前記異常状態検出手段により検出される異常状態は、前記打玉入賞検出手段の異常状態を含むことを特徴とする。
【手続補正８】
【補正対象書類名】明細書
【補正対象項目名】００１１
【補正方法】変更
【補正の内容】
【００１１】
請求項４に記載の本発明は、請求項３に記載の発明の構成に加えて、前記打玉入賞検出手段は、打玉の入賞を検出した場合に所定期間内において検出出力を継続し、
前記異常状態検出手段により検出される前記打玉入賞検出手段の異常状態は、前記打玉入賞検出手段による入賞の検出出力が前記所定期間を超えて継続した異常状態を含むことを特徴とする。
【手続補正９】
【補正対象書類名】明細書
【補正対象項目名】００１２
【補正方法】変更
【補正の内容】
【００１２】
請求項５に記載の本発明は、請求項１に記載の発明の構成に加えて、遊技領域に設けられた入賞領域に入賞した入賞玉を検出する入賞玉検出手段と、
前記払出手段による景品の払出しを検出可能な景品検出手段とをさらに含み、
前記遊技制御手段は、前記入賞玉検出手段および前記景品検出手段のそれぞれの検出出力を直接受け、前記入賞玉検出手段の検出出力があった場合に、所定個数の景品の払出しを要求する指令情報を前記払出制御手段へ与えるとともに、前記景品検出手段の検出出力に基づいて前記所定個数の景品の払出しが正常に行なわれているか否かを判断する制御をさらに行ない、
前記払出制御手段は、前記遊技制御手段から前記指令情報を受けた場合に、景品を前記払出手段により払出す制御をさらに行ない、前記払出制御手段から前記遊技制御手段への情報の通信が行なわれないことを特徴とする。
【手続補正１０】
【補正対象書類名】明細書
【補正対象項目名】００１３
【補正方法】変更
【補正の内容】
【００１３】
【作用】
請求項１に記載の本発明によれば、次のように作用する。払出手段の働きにより、景品を払出すことが可能である。払出制御手段の働きにより、所定の払出条件が成立した場合に、払出手段により景品を払出す制御が行なわれる。遊技制御手段の働きにより、遊技機の遊技状態を制御することが可能である。異常状態検出手段の働きにより、遊技制御手段による遊技制御上で発生した異常状態が検出される。払出制御手段のさらなる働きにより、異常状態検出手段により遊技制御上で発生した異常状態が検出された場合であっても、払出条件の成立に応じて払出手段により景品を払出す制御が行なわれる。このように、遊技制御上で発生した異常状態が検出された場合であっても、払出条件の成立に応じて払出手段により景品を払出す制御が行なわれるので、遊技制御が異常な状態になっても少なくとも払出条件が成立した分については遊技者が景品の払出しを受けることが可能になる。このため、遊技制御上での異常状態が生じた場合における景品の払出しについての遊技者の不快感を防ぐことができる。
【手続補正１１】
【補正対象書類名】明細書
【補正対象項目名】００１４
【補正方法】変更
【補正の内容】
【００１４】
請求項２に記載の本発明によれば、請求項１に記載の発明の作用に加えて、次のように作用する。遊技制御手段のさらなる働きにより、異常状態検出手段により遊技制御上で発生した異常状態が検出された場合に、少なくとも遊技制御の主要部分を不能動化する制御が行なわれる。このように、遊技制御上で発生した異常状態が検出された場合に、少なくとも遊技制御の主要部分を不能動化する制御が行なわれるため、遊技制御上の異常状態の発生に起因して遊技機が異なる異常な遊技状態に制御されることや、異常状態が継続されることなどを防ぐことが可能になる。
【手続補正１２】
【補正対象書類名】明細書
【補正対象項目名】００１５
【補正方法】変更
【補正の内容】
【００１５】
請求項３に記載の本発明によれば、請求項１に記載の発明の作用に加えて、次のように作用する。打玉入賞検出手段の働きにより、遊技領域に設けられた入賞領域に打玉が入賞したことが検出される。異常状態検出手段により検出される異常状態には、打玉入賞検出手段の異常状態が含まれている。このような打玉入賞検出手段の異常状態は遊技制御上発生する異常状態のうち比較的発生する可能性が高い異常状態であるが、このように、発生する可能性が高い異常状態が生じた場合において遊技者の不快感を防ぐことが可能な景品の払出しが可能になるので、より一層確実に遊技者の不快感を防ぐことが可能になる。
【手続補正１３】
【補正対象書類名】明細書
【補正対象項目名】００１６
【補正方法】変更
【補正の内容】
【００１６】
請求項４に記載の本発明によれば、請求項３に記載の発明の作用に加えて、次のように作用する。打玉入賞検出手段では、打玉の入賞を検出した場合に所定期間内において検出出力が継続される。異常状態検出手段により検出される打玉入賞検出手段の異常状態には、打玉入賞検出手段による入賞の検出出力が所定期間を超えて継続した異常状態が含まれる。このような打玉入賞検出手段による入賞の検出出力が所定期間を超えて継続した異常状態は、景品の払出しのための入賞玉の処理が追いつかないような大量の入賞玉が短期間に生じた場合が考えられるが、このような異常状態であっても、景品の払出しが行なわれることにより、景品の払出しが行なわれない入賞玉が生じてしまうことがないようにすることが可能になる。
【手続補正１４】
【補正対象書類名】明細書
【補正対象項目名】００１７
【補正方法】変更
【補正の内容】
【００１７】
請求項５に記載の本発明によれば、請求項１に記載の発明の作用に加えて、次のように作用する。入賞玉検出手段の働きにより、遊技領域に設けられた入賞領域に入賞した入賞玉が検出される。景品検出手段の働きにより、払出手段による景品の払出しが検出可能である。遊技制御手段のさらなる働きにより、入賞玉検出手段および景品検出手段のそれぞれの検出出力を直接受け、入賞玉検出手段の検出出力があった場合に、所定個数の景品の払出しを要求する指令情報を払出制御手段へ与えるとともに、景品検出手段の検出出力に基づいて所定個数の景品の払出しが正常に行なわれているか否かを判断する制御がさらに行なわれる。払出制御手段のさらなる働きにより、遊技制御手段から指令情報を受けた場合に、景品を払出手段により払出す制御がさらに行なわれる。さらに、払出制御手段から遊技制御手段への情報の通信が行なわれない。このように、払出制御手段から遊技制御手段への情報の通信が行なわれず、入賞玉検出手段から直接的に遊技制御手段に与えられる入賞玉の検出出力に応じて遊技制御手段から払出制御手段に指令情報が与えられ、その指令情報に基づいて、払出制御手段の制御により景品の払出しが行なわれる。つまり、そのような景品の払出しは、遊技制御手段から払出制御手段への指令情報の一方向通信に基づいて行なわれる。このような一方向通信に基づく景品の払出し制御により、払出制御手段から遊技制御手段への不正なデータの入力による遊技制御手段の不正制御動作を極力防止することが可能になる。さらに、景品検出手段から、払出制御手段を介することなく直接的に遊技制御手段に与えられる景品の検出出力に基づいて所定個数の景品の払出が正常に行なわれているか否かが判別されるため、遊技制御手段において、一方向通信でありながら景品の払出し状態をチェックすることが可能になる。
【手続補正１５】
【補正対象書類名】明細書
【補正対象項目名】０２５２
【補正方法】変更
【補正の内容】
【０２５２】
【課題を解決するための手段の具体例の効果】
請求項１に関しては、次のような効果を得ることができる。遊技制御上で発生した異常状態が検出された場合であっても、払出条件の成立に応じて払出手段により景品を払出す制御が行なわれるので、遊技制御が異常な状態になっても少なくとも払出条件が成立した分については遊技者が景品の払出しを受けることができる。このため、遊技制御上での異常状態が生じた場合における景品の払出しについての遊技者の不快感を防ぐことができる。
【手続補正１６】
【補正対象書類名】明細書
【補正対象項目名】０２５３
【補正方法】変更
【補正の内容】
【０２５３】
請求項２に関しては、請求項１に関する効果に加えて、次のような効果を得ることができる。遊技制御上で発生した異常状態が検出された場合に、少なくとも遊技制御の主要部分を不能動化する制御が行なわれるため、遊技制御上の異常状態の発生に起因して遊技機が異なる異常な遊技状態に制御されることや、異常状態が継続されることなどを防ぐことができる。
【手続補正１７】
【補正対象書類名】明細書
【補正対象項目名】０２５４
【補正方法】変更
【補正の内容】
【０２５４】
請求項３に関しては、請求項１に関する効果に加えて、次のような効果を得ることができる。打玉入賞検出手段の異常状態は遊技制御上発生する異常状態のうち比較的発生する可能性が高い異常状態であるが、このように、発生する可能性が高い異常状態が生じた場合において遊技者の不快感を防ぐことが可能な景品の払出しができるので、より一層確実に遊技者の不快感を防ぐことができる。
【手続補正１８】
【補正対象書類名】明細書
【補正対象項目名】０２５５
【補正方法】変更
【補正の内容】
【０２５５】
請求項４に関しては、請求項３に関する効果に加えて、次のような効果を得ることができる。打玉入賞検出手段による入賞の検出出力が所定期間を超えて継続した異常状態は、景品の払出しのための入賞玉の処理が追いつかないような大量の入賞玉が短期間に生じた場合が考えられるが、このような異常状態であっても、景品の払出しが行なわれることにより、景品の払出しが行なわれない入賞玉が生じてしまうことがないようにすることができる。
【手続補正１９】
【補正対象書類名】明細書
【補正対象項目名】０２５６
【補正方法】変更
【補正の内容】
【０２５６】
請求項５に関しては、請求項１に関する効果に加えて、次のような効果を得ることができる。このように、払出制御手段から遊技制御手段への情報の通信が行なわれず、入賞玉検出手段から直接的に遊技制御手段に与えられる入賞玉の検出出力に応じて遊技制御手段から払出制御手段に指令情報が与えられ、その指令情報に基づいて、払出制御手段の制御により景品の払出しが行なわれる。つまり、そのような景品の払出しは、遊技制御手段から払出制御手段への指令情報の一方向通信に基づいて行なわれる。このような一方向通信に基づく景品の払出し制御により、払出制御手段から遊技制御手段への不正なデータの入力による遊技制御手段の不正制御動作を極力防止することができる。さらに、景品検出手段から、払出制御手段を介することなく直接的に遊技制御手段に与えられる景品の検出出力に基づいて所定個数の景品の払出が正常に行なわれているか否かが判別されるため、遊技制御手段において、一方向通信でありながら景品の払出し状態をチェックすることができる。